(57)【要約】【課題】先端の尖り先において異物が強固に付着しても異物を容易に除去できるようにして、良好な放電特性の長期間の維持を実現するコロナ放電用の放電電極や放電電極ユニットを提供する。【解決手段】導電体で形成される針状電極１ａと、はめあいをすきまばめとして針状電極１ａが挿入される孔部１ｅを有する摺動体１ｂと、を備える放電電極１とした。また、このような放電電極１を移動自在に支持する放電電極ユニット１００とした。【選択図】図１
2010140746.tif 000002
【特許請求の範囲】
【請求項１】
導電体で形成される針状電極と、
はめあいをすきまばめとして前記針状電極が挿入される孔部、および、この孔部に連通する開口部が形成される先端部、を有する摺動体と、
を備えることを特徴とする放電電極。
【請求項２】
請求項１に記載の放電電極において、
前記摺動体は、円筒体であることを特徴とする放電電極。
【請求項３】
請求項１に記載の放電電極において、
前記摺動体は、円筒体であって尖り先の先端部を有することを特徴とする放電電極。
【請求項４】
請求項１に記載の放電電極において、
前記摺動体は、円筒体であって開口部の直径と比較して長い直径を有する空間部が内部に形成されており、この空間部に孔部が連通することを特徴とする放電電極。
【請求項５】
請求項１に記載の放電電極において、
前記摺動体は、リング体であることを特徴とする放電電極。
【請求項６】
請求項１〜請求項５の何れか一項に記載の放電電極において、
前記摺動体は、導電体で形成されており、
前記針状電極と前記摺動体とが電気的に接続されることを特徴とする放電電極。
【請求項７】
請求項１〜請求項６の何れか一項に記載の放電電極を含む放電電極ユニットであって、
前記針状電極を支持する電極支持部と、
前記摺動体を支持する摺動体支持部と、
前記電極支持部および前記摺動体支持部を付勢する付勢部と、
を備え、前記針状電極と前記摺動体とを相対的に移動させるように支持することを特徴とする放電電極ユニット。
【請求項８】
請求項７に記載の放電電極ユニットにおいて、
前記針状電極と前記摺動体とを相対的に移動させる動力を与える駆動源を備えることを特徴とする放電電極ユニット。
【請求項９】
請求項８に記載の放電電極ユニットにおいて、
前記駆動源は発音体または超音波振動子であることを特徴とする放電電極ユニット。
【請求項１０】
請求項８に記載の放電電極ユニットにおいて、
前記駆動源は振動モータであることを特徴とする放電電極ユニット。
【請求項１１】
請求項７〜請求項１０の何れか一項に記載の放電電極ユニットにおいて、
前記電極支持部における前記針状電極の取り付け位置を調整する調整部を備えることを特徴とする放電電極ユニット。
【請求項１２】
請求項７〜請求項１１の何れか一項に記載の放電電極ユニットにおいて、
前記放電電極は複数であり、
前記電極支持部は複数の針状電極を支持し、
前記摺動体支持部は複数の摺動体を支持する、
ことを特徴とする放電電極ユニット。
【請求項１３】
請求項１２に記載の放電電極ユニットにおいて、
前記放電電極が一列に並べられることを特徴とする放電電極ユニット。
【請求項１４】
請求項１２に記載の放電電極ユニットにおいて、
前記放電電極が複数行複数列に並べられることを特徴とする放電電極ユニット。
【発明の詳細な説明】
【技術分野】
【０００１】
本発明は、コロナ放電用の放電電極、および、この放電電極を支持する放電電極ユニットに関する。
【背景技術】
【０００２】
コロナ放電用の放電電極の従来技術として、例えば、特許文献１（特開２００７−１３４１４１号公報，発明の名称，イオン化装置の電極針ユニットおよびイオン化装置）に記載された発明が知られている。
特許文献１に記載の従来技術において、電極針は、電極針の基部に近い側の一部で支持部材により支持され、電極針の先端部周囲をエアが流れるようにしている。これにより、電極針の先端付近にある埃・ごみ等がエアにより吹き飛ばされることとなり、埃・ごみ等が付着しないようにしている。
【０００３】
また、他の従来技術として、例えば、特許文献２（特開平８−８８０７４号公報，発明の名称，イオン発生装置用放電電極）に記載された発明が知られている。
さらにまた、他の従来技術として、例えば、特許文献３（特開２００４−２４７１０７号公報，発明の名称，ノズル型放電電極）に記載された発明が知られている。
これら特許文献２，３に記載の従来技術において、ノズル先端を針状に形成し、ノズル中央から吹き出される高速の風にイオンを載せて遠距離までイオンを搬送する、というものである。これら特許文献２，３に記載の従来技術の放電電極でも、風により埃・ごみ等が付着しにくくなるという効果が見込める。
【０００４】
【特許文献１】特開２００７−１３４１４１号公報（段落番号［００５５］，図１）
【特許文献２】特開平８−８８０７４号公報（図１，図２）
【特許文献３】特開２００４−２４７１０７号公報（図１，図２）
【発明の開示】
【発明が解決しようとする課題】
【０００５】
特許文献１，２，３に記載の従来技術では、電極針の先端に異物が強固に付着した場合にエアの流れだけでは異物が除去できないことがあった。この点について説明する。風により埃・ごみ等を吹き飛ばすようにしても、電極針の針先端に埃、ごみ、シロキサン等（以下、異物という）が少しずつ堆積して巨大化することがあった。特にシリコン樹脂製品に含まれる低分子シロキサンが揮発してガス状のシロキサンが発生し、このガス状のシロキサンが堆積して付着してなる異物（シロキサン）の場合には、半導体用シリコンウェハーなどを製造しているクリーンルームにおいては電気回路の表面にこの異物が付着すると接点障害が引き起こされるため、確実に除去する必要があった。
【０００６】
また、特許文献１，２，３に記載の従来技術では、エア流が流れないようなイオナイザでは適用できないため、エアにより吹き飛ばす以外の除去手法も選択できるようにする必要があった。
さらに特許文献２，３に記載の従来技術では、電極が尖り先ではないため、針状の電極と比較して放電特性が良好ではないという問題もあった。
【０００７】
そこで、本発明は、上記課題を解決するためになされたものであり、その目的は、先端の尖り先において異物が強固に付着しても異物を除去できるようにし、良好な放電特性の長期間の維持を実現するコロナ放電用の放電電極や放電電極ユニットを提供することにある。
【課題を解決するための手段】
【０００８】
本発明の請求項１に係る放電電極は、
導電体で形成される針状電極と、
はめあいをすきまばめとして前記針状電極が挿入される孔部、および、この孔部に連通する開口部が形成される先端部、を有する摺動体と、
を備えることを特徴とする。
【０００９】
また、本発明の請求項２に係る放電電極は、
請求項１に記載の放電電極において、
前記摺動体は、円筒体であることを特徴とする。
【００１０】
また、本発明の請求項３に係る放電電極は、
請求項１に記載の放電電極において、
前記摺動体は、円筒体であって尖り先の先端部を有することを特徴とする。
【００１１】
また、本発明の請求項４に係る放電電極は、
請求項１に記載の放電電極において、
前記摺動体は、円筒体であって開口部の直径と比較して長い直径を有する空間部が内部に形成されており、この空間部に孔部が連通することを特徴とする。
【００１２】
また、本発明の請求項５に係る放電電極は、
請求項１に記載の放電電極において、
前記摺動体は、リング体であることを特徴とする。
【００１３】
また、本発明の請求項６に係る放電電極は、
請求項１〜請求項５の何れか一項に記載の放電電極において、
前記摺動体は、導電体で形成されており、
前記針状電極と前記摺動体とが電気的に接続されることを特徴とする。
【００１４】
本発明の請求項７に係る放電電極ユニットは、
請求項１〜請求項６の何れか一項に記載の放電電極を含む放電電極ユニットであって、
前記針状電極を支持する電極支持部と、
前記摺動体を支持する摺動体支持部と、
前記電極支持部および前記摺動体支持部を付勢する付勢部と、
を備え、前記針状電極と前記摺動体とを相対的に移動させるように支持することを特徴とする。
【００１５】
また、本発明の請求項８に係る放電電極ユニットは、
請求項７に記載の放電電極ユニットにおいて、
前記針状電極と前記摺動体とを相対的に移動させる動力を与える駆動源を備えることを特徴とする。
【００１６】
また、本発明の請求項９に係る放電電極ユニットは、
請求項８に記載の放電電極ユニットにおいて、
前記駆動源は発音体または超音波振動子であることを特徴とする。
【００１７】
また、本発明の請求項１０に係る放電電極ユニットは、
請求項８に記載の放電電極ユニットにおいて、
前記駆動源は振動モータであることを特徴とする。
【００１８】
また、本発明の請求項１１に係る放電電極ユニットは、
請求項７〜請求項１０の何れか一項に記載の放電電極ユニットにおいて、
前記電極支持部における前記針状電極の取り付け位置を調整する調整部を備えることを特徴とする。
【００１９】
また、本発明の請求項１２に係る放電電極ユニットは、
請求項７〜請求項１１の何れか一項に記載の放電電極ユニットにおいて、
前記放電電極は複数であり、
前記電極支持部は複数の針状電極を支持し、
前記摺動体支持部は複数の摺動体を支持する、
ことを特徴とする。
【００２０】
また、本発明の請求項１３に係る放電電極ユニットは、
請求項１２に記載の放電電極ユニットにおいて、
前記放電電極が一列に並べられることを特徴とする。
【００２１】
また、本発明の請求項１４に係る放電電極ユニットは、
請求項１２に記載の放電電極ユニットにおいて、
前記放電電極が複数行複数列に並べられることを特徴とする。
【発明の効果】
【００２２】
以上のような本発明によれば、先端の尖り先において異物が強固に付着しても異物を除去できるようにし、良好な放電特性の長期間の維持を実現するコロナ放電用の放電電極や放電電極ユニットを提供することができる。
【発明を実施するための最良の形態】
【００２３】
続いて、本発明を実施するための最良の形態について図に基づいて説明する。図１は本形態の放電電極および放電電極ユニットの説明図であり、図１（ａ）は放電電極先端の拡大図、図１（ｂ）は放電電極ユニットの構成図、図１（ｃ）は放電電極ユニットの動作説明図である。放電電極１は、図１（ａ）で示すように、針状電極１ａ、摺動体１ｂを備えている。
【００２４】
針状電極１ａは、導電体で形成されており、先端部が尖り先として形成される針状体である。
摺動体１ｂは、円筒体として形成され、さらに先端部１ｃ、開口部１ｄ、孔部１ｅを備える。先端部１ｃは円環状に形成される。開口部１ｄは孔部１ｅの両側に形成されており、開口部１ｄと孔部１ｅとは同一直径として形成される。孔部１ｅは直線状の孔である。
【００２５】
このような針状電極１ａは、摺動体１ｂの孔部１ｅ内に挿入される。摺動体１ｂの孔部１ｅの断面直径は、針状電極１ａの断面直径より大きく形成されてはめあいをすきまばめとしており、針状電極１ａに沿って摺動体１ｂが容易に移動するようになされている。また、摺動体１ｂに沿って針状電極１ａが移動するともいえるものであり、これら針状電極１ａと摺動体１ｂとは相対的に移動するというものである。
【００２６】
続いてこの放電電極１による異物除去原理について説明する。特に、図１（ａ）で示すように、針状電極１ａの最先端に絶縁性を有するシロキサン等の異物Ｄが付着したような場合、摺動体１ｂを異物Ｄ側に向けて矢印ａ方向に移動させると、先端部１ｃが異物Ｄに当接してこの異物Ｄを矢印ａ側に押送し、異物Ｄを除去する、というものである。放電電極１の構成はこのようなものである。
【００２７】
続いて、このような放電電極１を含む放電電極ユニット１００について説明する。
放電電極ユニット１００は、図１（ｂ）に示すように、放電電極１、電極支持部１０、摺動体支持部２０、ばね３０を備えている。このうち放電電極１には電圧供給線４０が電気的に接続され、イオン生成用の高電圧が供給される。
【００２８】
続いて、このような放電電極ユニット１００の構成について説明する。
電極支持部１０は、絶縁体を材料として形成されており、針状電極１ａを支持する。
摺動体支持部２０は、絶縁体を材料として形成されており、摺動体１ｂを支持する。
ばね３０は、本発明の付勢部の一具体例であり、電極支持部１０および摺動体支持部２０を付勢する。この付勢力は、図１（ｃ）で示した状態から図１（ｂ）で示した状態となるように圧縮する付勢力である。このような放電電極ユニット１００では針状電極１ａと摺動体１ｂとを相対的に移動させるようにしている。
【００２９】
続いて、このような放電電極ユニット１００の動作について説明する。
例えば、電極支持部１０が図示しない筐体に取り付けられて針状電極１ａが所定位置にあるように固定されており、針状電極１ａに対して摺動体１ｂが相対的に動くものとして説明する。この場合、図１（ｂ）で示すように、異物Ｄが針状電極１ａの先端に付着しているものとする。そして、例えば、手動により摺動体１ｂ（あるいは摺動体支持部２０）を移動させると先端部１ｃが異物Ｄに当たって、図１（ｃ）で示すようにこの異物Ｄを矢印ａ側に押送し、異物Ｄを除去する。除去後に摺動体１ｂ（あるいは摺動体支持部２０）を手離すとばね３０の付勢力（圧縮力）により図１（ｂ）で示すような元の位置に戻る、というものである。放電電極ユニット１００の構成はこのようなものである。
【００３０】
このような本形態の放電電極１や放電電極ユニット１００によれば、簡易な機械的構成を追加しこの機械構成を動作させるだけで、異物を除去することができるようになり、放電電極１の長期間にわたる良好な放電特性の維持が可能となり、加えてシロキサン等の異物を予め除去することで被除電物に異物を噴射するおそれもなくなり、被除電物に対して除電のみを確実に行う。
【００３１】
続いて、本発明を実施するための他の形態について図に基づいて説明する。図２は他の形態の放電電極および放電電極ユニットの説明図であり、図２（ａ）は放電電極先端の拡大図、図２（ｂ）は放電電極ユニットの構成図、図２（ｃ）は放電電極ユニットの動作説明図である。放電電極２は、図２（ａ）で示すように、針状電極２ａ、摺動体２ｂを備えている。
【００３２】
針状電極２ａは、導電体で形成されており、先端部が尖り先として形成される針状体である。
摺動体２ｂは、円筒体として形成され、さらに先端部２ｃ、開口部２ｄ、傾斜部２ｅ、孔部２ｆを備える。摺動体２ｂの先端は傾斜部２ｅを斜面とする台形円錐状の尖り先が形成され、その最先端では先端部２ｃが円環状になっている。開口部２ｄは孔部２ｆの両側に形成されており、開口部２ｄと孔部２ｆとは同一直径として形成される。孔部２ｆは直線状の孔である。
【００３３】
このような針状電極２ａは、摺動体２ｂの孔部２ｆ内に挿入される。摺動体２ｂの孔部２ｆの断面直径が針状電極２ａの断面直径より大きく形成されてはめあいをすきまばめとしており、針状電極２ａに沿って摺動体２ｂが容易に移動するようになされている。また、摺動体２ｂに沿って針状電極２ａが移動するともいえるものであり、これら針状電極２ａと摺動体２ｂとは相対的に移動するというものである。
【００３４】
続いてこの放電電極２による異物除去原理について説明する。特に、図２（ａ）で示すように、針状電極２ａの最先端に絶縁性を有するシロキサン等の異物Ｄが付着したような場合、摺動体２ｂを異物Ｄ側に向けて矢印ｃ方向に移動させると、先端部２ｃが異物Ｄに当接してこの異物Ｄを矢印ｃ側に押送し、異物Ｄを除去する、というものである。放電電極２の構成はこのようなものである。
【００３５】
続いて、このような放電電極２を含む放電電極ユニット２００について説明する。
放電電極ユニット２００は、図２（ｂ）に示すように、放電電極２、電極支持部１０、摺動体支持部２０、ばね３０を備えている。このうち放電電極２には電圧供給線４０が電気的に接続され、イオン生成用の高電圧が供給される。
【００３６】
続いて、このような放電電極ユニット２００の構成について説明する。
電極支持部１０は、絶縁体を材料として形成されており、針状電極２ａを支持する。
摺動体支持部２０は、絶縁体を材料として形成されており、摺動体２ｂを支持する。
ばね３０は、本発明の付勢部の一具体例であり、電極支持部１０および摺動体支持部２０を付勢する。この付勢力は、図２（ｃ）で示した状態から図２（ｂ）で示した状態となるように圧縮する付勢力である。このような放電電極ユニット２００では針状電極２ａと摺動体２ｂとを相対的に移動させるようにしている。
【００３７】
続いて、このような放電電極ユニット２００の動作について説明する。
例えば、電極支持部１０が図示しない筐体に取り付けられて針状電極２ａが所定位置にあるように固定されており、針状電極２ａに対して摺動体２ｂが相対的に動くものとして説明する。この場合、図２（ｂ）で示すように、異物Ｄが針状電極２ａの先端に付着しているものとする。そして、例えば、手動により摺動体２ｂを移動させると先端部２ｃが異物Ｄに当たって、図２（ｃ）で示すようにこの異物Ｄを矢印ｄ側に押送し、異物Ｄを除去する。除去後に摺動体２ｂを手離すとばね３０の付勢力（圧縮力）により図２（ｂ）で示すような元の位置に戻る、というものである。放電電極ユニット２００の構成はこのようなものである。
【００３８】
このような本形態の放電電極２や放電電極ユニット２００によれば、簡易な機械的構成を追加しこの機械構成を動作させるだけで、異物を除去することができるようになり、放電電極２の長期間にわたる良好な放電特性の維持が可能となり、加えてシロキサン等の異物を予め除去することで被除電物に異物を噴射するおそれもなくなり、被除電物に対して除電のみを確実に行う。
また、特に本形態では、放電電極２が尖り先となっているため、例えばラミナフローなどのエア流が傾斜部２ｅに沿って先端へ流れるため、ガス状のシロキサンもエア流により到達しにくくなっており、異物自体を付着しにくくする等の効果も見込める。
【００３９】
続いて、本発明を実施するための他の形態について図に基づいて説明する。図３は他の形態の放電電極および放電電極ユニットの説明図であり、図３（ａ）は放電電極先端の拡大図、図３（ｂ）は放電電極ユニットの構成図、図３（ｃ）は放電電極ユニットの動作説明図である。放電電極３は、図３（ａ）で示すように、針状電極３ａ、摺動体３ｂを備えている。
【００４０】
針状電極３ａは、導電体で形成されており、先端部が尖り先として形成される針状体である。
摺動体３ｂは、円筒体として形成され、さらに先端部３ｃ、開口部３ｄ、孔部３ｅ、空間部３ｆを備える。先端部３ｃは円環状に形成される。開口部３ｄは孔部３ｅの両側に形成されており、開口部３ｄと孔部３ｅとは同一直径として形成される。孔部３ｅは直線状の孔である。空間部３ｆは孔部３ｅと連通しており、空間部３ｆの断面直径は孔部３ｅの断面直径よりも長くして形成される。空間部３ｆと孔部３ｅにより多段状の孔となる。なお、図示しないが孔部３ｅの中に針状電極３ａを支持する支持部を配置しても良い。
【００４１】
このような針状電極３ａは、摺動体３ｂの孔部３ｅ内に挿入される。はめあいをすきまばめとしており、針状電極３ａに沿って摺動体３ｂが容易に移動するようになされている。また、摺動体３ｂに沿って針状電極３ａが移動するともいえるものであり、これら針状電極３ａと摺動体３ｂとは相対的に移動するというものである。
【００４２】
続いてこの放電電極３による異物除去原理について説明する。特に、図３（ａ）で示すように、針状電極３ａの最先端に絶縁性を有するシロキサン等の異物Ｄが付着したような場合、摺動体３ｂを異物Ｄ側に向けて矢印ｆ方向に移動させると、先端部３ｃが異物Ｄに当接してこの異物Ｄを矢印ｆ側に押送し、異物Ｄを除去する、というものである。放電電極３の構成はこのようなものである。
【００４３】
続いて、このような放電電極３を含む放電電極ユニット３００について説明する。
放電電極ユニット３００は、図３（ｂ）に示すように、放電電極３、電極支持部１０、摺動体支持部２０、ばね３０を備えている。このうち放電電極３には電圧供給線４０が電気的に接続され、イオン生成用の高電圧が供給される。
【００４４】
続いて、このような放電電極ユニット３００の構成について説明する。
電極支持部１０は、絶縁体を材料として形成されており、針状電極３ａを支持する。
摺動体支持部２０は、絶縁体を材料として形成されており、摺動体３ｂを支持する。
ばね３０は、本発明の付勢部の一具体例であり、電極支持部１０および摺動体支持部２０を付勢する。この付勢力は、図３（ｃ）で示した状態から図３（ｂ）で示した状態となるように圧縮する付勢力である。このような放電電極ユニット３００では針状電極３ａと摺動体３ｂとを相対的に移動させるようにしている。
【００４５】
続いて、このような放電電極ユニット３００の動作について説明する。
例えば、電極支持部１０が図示しない筐体に取り付けられて針状電極３ａが所定位置にあるように固定されており、針状電極３ａに対して摺動体３ｂが相対的に動くものとして説明する。この場合、図３（ｂ）で示すように、異物Ｄが針状電極３ａの先端に付着しているものとする。そして、例えば、手動により摺動体３ｂを移動させると先端部３ｃが異物Ｄに当たって、図３（ｃ）で示すようにこの異物Ｄを矢印ｆ側に押送し、異物Ｄを除去する。除去後に摺動体３ｂを手離すとばね３０の付勢力（圧縮力）により図３（ｂ）で示すような元の位置に戻る、というものである。放電電極ユニット３００の構成はこのようなものである。
【００４６】
このような本形態の放電電極３や放電電極ユニット３００によれば、簡易な機械的構成を追加しこの機械構成を動作させるだけで、異物を除去することができるようになり、放電電極３の長期間にわたる良好な放電特性の維持が可能となり、加えてシロキサン等の異物を予め除去することで被除電物に異物を噴射するおそれもなくなり、被除電物に対して除電のみを確実に行う。
また、空間部３ｆに流体系回路から洗浄ガスを流入させて孔部を介して開口部３ｄからこの洗浄ガスを噴射させるようにしても良い。空間部３ｆは流路として機能する。このような構成を採用しても良い。
【００４７】
続いて、本発明を実施するための他の形態について図に基づいて説明する。図４は他の形態の放電電極および放電電極ユニットの説明図であり、図４（ａ）は放電電極先端の拡大図、図４（ｂ）は放電電極ユニットの構成図、図４（ｃ）は放電電極ユニットの動作説明図である。放電電極４は、図４（ａ）で示すように、針状電極４ａ、摺動体４ｂを備えている。
【００４８】
針状電極４ａは、導電体で形成されており、先端部が尖り先として形成される針状体である。
摺動体４ｂは、リング体として形成され、さらに先端部４ｃ、開口部４ｄ、孔部４ｅを備える。先端部４ｃは円環状に形成される。開口部４ｄは孔部４ｅの両側に形成されており、開口部４ｄと孔部４ｅとは同一直径として形成される。孔部４ｅは直線状の孔である。
【００４９】
このような針状電極４ａは、摺動体４ｂの孔部４ｅ内に挿入される。摺動体４ｂの孔部４ｅの断面直径は、針状電極４ａの断面直径よりも大きく形成されてはめあいをすきまばめとしており、針状電極４ａに沿って摺動体４ｂが容易に移動するようになされている。また、摺動体４ｂに沿って針状電極４ａが移動するともいえるものであり、これら針状電極４ａと摺動体４ｂとは相対的に移動するというものである。
【００５０】
続いてこの放電電極４による異物除去原理について説明する。特に、図４（ａ）で示すように、針状電極４ａの最先端に絶縁性を有するシロキサン等の異物Ｄが付着したような場合、摺動体４ｂを異物Ｄ側に向けて矢印ｇ方向に移動させると、先端部４ｃが異物Ｄに当接してこの異物Ｄを矢印ｈ側に押送し、異物Ｄを除去する、というものである。放電電極４の構成はこのようなものである。
【００５１】
続いて、このような放電電極４を含む放電電極ユニット４００について説明する。
放電電極ユニット４００は、図４（ｂ）に示すように、放電電極４、電極支持部１０、摺動体支持部２０、ばね３０を備えている。このうち放電電極４には電圧供給線４０が電気的に接続され、イオン生成用の高電圧が供給される。
【００５２】
続いて、このような放電電極ユニット４００の構成について説明する。
電極支持部１０は、絶縁体を材料として形成されており、針状電極４ａを支持する。
摺動体支持部２０は、絶縁体を材料として形成されており、摺動体４ｂを支持する。
ばね３０は、本発明の付勢部の一具体例であり、電極支持部１０および摺動体支持部２０を付勢する。この付勢力は、図４（ｃ）で示した状態から図４（ｂ）で示した状態となるように圧縮する付勢力である。このような放電電極ユニット４００では針状電極４ａと摺動体４ｂとを相対的に移動させるようにしている。
【００５３】
続いて、このような放電電極ユニット４００の動作について説明する。
例えば、電極支持部１０が図示しない筐体に取り付けられて針状電極４ａが所定位置にあるように固定されており、針状電極４ａに対して摺動体４ｂが相対的に動くものとして説明する。この場合、図４（ｂ）で示すように、異物Ｄが針状電極４ａの先端に付着しているものとする。そして、例えば、手動により摺動体４ｂを移動させると先端部４ｃが異物Ｄに当たって、図４（ｃ）で示すようにこの異物Ｄを矢印ｈ側に押送し、異物Ｄを除去する。除去後に摺動体４ｂを手離すとばね３０の付勢力（圧縮力）により図４（ｂ）で示すような元の位置に戻る、というものである。放電電極ユニット４００の構成はこのようなものである。
【００５４】
このような本形態の放電電極１や放電電極ユニット４００によれば、簡易な機械的構成を追加しこの機械構成を動作させるだけで、異物を除去することができるようになり、放電電極４の長期間にわたる良好な放電特性の維持が可能となり、加えてシロキサン等の異物を予め除去することで被除電物に異物を噴射するおそれもなくなり、被除電物に対して除電のみを確実に行う。
特に本形態の摺動体４ｂは上下方向に短いリング体であり、通常のイオン生成時には可能な限り針状電極４ａの先端から離れた位置に配置して電界形成に影響を与えないような構成とすることができる。
【００５５】
続いて、本発明を実施するための他の形態について図に基づいて説明する。図５は他の形態の放電電極および放電電極ユニットの説明図であり、図５（ａ）は第１の放電電極および放電電極ユニットの改良形態の説明図、図５（ｂ）は第２の放電電極および放電電極ユニットの改良形態の説明図、図５（ｃ）は第３の放電電極および放電電極ユニットの改良形態の説明図、図５（ｄ）は第４の放電電極および放電電極ユニットの改良形態の説明図である。
【００５６】
放電電極１は、図５（ａ）で示すように、針状電極１ａと導電体からなる摺動体１ｂとを電気的に接続する接続部５０をさらに備えた構成を採用した。接続部５０は針状電極１ａと摺動体１ｂとの移動量と比較して十分な長さのリード線を採用しており、移動により接続部５０が切断するという事態が発生しないようにしている。また、このような接続部５０をさらに備える放電電極１を搭載した放電電極ユニット１００とした。
仮に摺動体１ｂが絶縁体であるものと仮定すると、針状電極１ａに高電圧が印加されると静電誘導により摺動体１ｂが局所帯電し、針状電極１ａによって形成される電界が不安定になる。そこで、針状電極１ａと導電体からなる摺動体１ｂとを電気的に接続することで局所帯電の発生をなくし、針状電極１ａによって形成される電界を安定化している。このように接続部５０をさらに設けることで性能、特に放電特性の向上に寄与する。
【００５７】
また、図５（ｂ）で示すように、先に図２（ａ）を用いて説明した放電電極２の針状電極２ａと摺動体２ｂとを接続部５０を介して電気的に接続することで、放電電極２や放電電極ユニット２００でも性能、特に放電特性の向上を実現することができる。
さらにまた、図５（ｃ）で示すように、先に図３（ａ）を用いて説明した放電電極３の針状電極３ａと摺動体３ｂとを接続部５０を介して電気的に接続することで、放電電極３や放電電極ユニット３００でも性能、特に放電特性の向上を実現することができる。
さらにまた、図５（ｄ）で示すように、先に図４（ａ）を用いて説明した放電電極４の針状電極４ａと摺動体４ｂとを接続部５０を介して電気的に接続することで、放電電極４や放電電極ユニット４００でも性能、特に放電特性の向上を実現することができる。
【００５８】
続いて、本発明を実施するための他の形態について図に基づいて説明する。図６は他の形態の放電電極および放電電極ユニットの説明図であり、図６（ａ）は第１の放電電極および放電電極ユニットの改良形態の説明図、図６（ｂ）は第２の放電電極および放電電極ユニットの改良形態の説明図、図６（ｃ）は第３の放電電極および放電電極ユニットの改良形態の説明図、図６（ｄ）は第４の放電電極および放電電極ユニットの改良形態の説明図である。
【００５９】
放電電極１は、図６（ａ）で示すように、針状電極１ａ、摺動体１ｂを電気的に接続する接続部５０を備える構成を採用した。そして、このような放電電極１を搭載し、さらに針状電極１ａと摺動体１ｂとを相対的に移動させる動力を与える駆動源６０を備える放電電極ユニット１００とした。なお、接続部５０による機能・効果は上記したように電界の安定化や放電特性の向上であり、重複する説明を省略し、駆動源６０について説明する。
【００６０】
駆動源６０は、発音体である。具体的にはブザーのような素子を採用する。ブザー音が鳴ると同時に発音により振動し、駆動源６０が設置されている電極支持部１０を加振する。これにより、針状電極１ａやばね３０に振動が伝わって摺動体１ｂが矢印ｉ方向に振動する。これにより、針状電極１ａの先端にある異物に摺動体１ｂが当たって異物を除去するというものである。
【００６１】
また、駆動原６０はブザーに代えて他の発音体である小型スピーカとしても良い。小型スピーカはアンプの出力端子に接続され、さらにこのアンプの入力端子には周波数発信器が接続される。この周波数発信器により所望の周波数や低周波から高周波まで連続する周波数をスイープさせつつ所定の音量で発音させることで摺動体１ｂを異物まで確実に到達させるような任意の振動を付与することも可能となる。また、針状電極１ａ自体も振動して異物が揺れ落ちる作用も見込める。
【００６２】
さらにまた、駆動源６０は発音体に代えて超音波振動子としても良い。可聴域を超える周波数を付与して電極支持部１０を加振し、摺動体１ｂを異物まで確実に到達させるような任意の振動を付与することも可能となる。また、針状電極１ａ自体も振動して異物が揺れ落ちる作用も見込める。
【００６３】
さらにまた、駆動源６０は発音体・超音波振動子に代えて加振モータとしても良い。近年では携帯電話でマナーモード時の着信を通知する加振などに使用されているが、所定の振動を加えて電極支持部１０を加振し、摺動体１ｂを異物まで確実に到達させるような任意の振動を付与することも可能となる。また、針状電極１ａ自体も振動して異物が揺れ落ちる作用も見込める。
【００６４】
また、図６（ｂ）で示すように、さきに図２（ａ）を用いて説明した放電電極ユニット２００に駆動源６０を電極支持部１０に設けることで、放電電極ユニット２００でも異物の除去効果を増進することができる。
さらにまた、図６（ｃ）で示すように、さきに図３（ａ）を用いて説明した放電電極ユニット３００に駆動源６０を電極支持部１０に設けることで、放電電極ユニット３００でも異物の除去効果を増進することができる。
さらにまた、図６（ｄ）で示すように、さきに図４（ａ）を用いて説明した放電電極ユニット４００に駆動源６０を電極支持部１０に設けることで、放電電極ユニット４００でも異物の除去効果を増進することができる。
また、図６（ａ），（ｂ），（ｃ），（ｄ）では接続部５０、駆動源６０を備えているが駆動源６０のみ備える形態を採用しても良い。実情に応じて適宜選択される。
【００６５】
続いて、本発明を実施するための他の形態について図に基づいて説明する。図７は他の形態の放電電極および放電電極ユニットの説明図であり、図７（ａ）は第１の放電電極および放電電極ユニットの改良形態の説明図、図７（ｂ）は第２の放電電極および放電電極ユニットの改良形態の説明図、図７（ｃ）は第３の放電電極および放電電極ユニットの改良形態の説明図、図７（ｄ）は第４の放電電極および放電電極ユニットの改良形態の説明図である。
【００６６】
放電電極１は、図７（ａ）で示すように、針状電極１ａ、摺動体１ｂを電気的に接続する接続部５０を備える構成を採用した。そして、このような放電電極１を搭載し、さらに針状電極１ａと摺動体１ｂとを相対的に移動させる動力を与える駆動源６０と、電極支持部１０おける針状電極１ａの取り付け位置を調整する調整部７０と、を備える放電電極ユニット１００とした。なお、接続部５０による機能・効果は上記したように電界の安定化や放電特性の向上であり、また、駆動部６０による機能・効果は上記したように加振であり、重複する説明を省略し、調整部７０について説明する。
【００６７】
調整部７０は、フランジ体であって、例えば中央の孔部に針状電極１ａが固定されている。このような調整部７０の外周面にはおねじ部が設けられており、電極支持部１０のめねじ部に螺挿されている。調整部７０を回転させると、調整部７０は電極支持部１０に対して矢印ｊ方向に移動し、その結果、針状電極１ａも矢印ｊ方向に移動する。特に針状電極１ａが劣化により短くなった場合に、調整部７０を回転させて針状電極１ａを伸ばすようにして針状電極１ａの先端を一定位置にあるようにすることができる。これにより形成される電界が一定となるように調整できる。
【００６８】
また、図７（ｂ）で示すように、さきに図２（ａ）を用いて説明した放電電極ユニット２００に調整部７０を設けることで、放電電極ユニット２００でも形成される電界が一定となるように調整できる。
さらにまた、図７（ｃ）で示すように、さきに図３（ａ）を用いて説明した放電電極ユニット３００に調整部７０を設けることで、放電電極ユニット３００でも形成される電界が一定となるように調整できる。
さらにまた、図７（ｄ）で示すように、さきに図４（ａ）を用いて説明した放電電極ユニット４００に調整部７０を設けることで、放電電極ユニット４００でも形成される電界が一定となるように調整できる。
また、図７では接続部５０、駆動源６０、調整部７０を備えているが、調整部７０のみ備える形態、接続部５０と調整部７０とを備える形態、駆動源６０と調整部７０とを備える形態の何れかを採用しても良い。実情に応じて適宜選択される。
【００６９】
続いて、本発明の他の形態について図に基づいて説明する。図８は他の形態の放電電極ユニットの説明図である。
先に説明した放電電極ユニット１００，２００，３００，４００では、何れも放電電極１，２，３，４を一本のみ備える構成であった。しかしながら、図８で示すように、本形態の放電電極ユニット５００は、放電電極１（図１（ａ）参照）を複数本（本形態で例示的に４本としている）備える構成とした。そして放電電極１が一列に配置される構成とした。例えば、バータイプのイオナイザへの搭載が可能となる。このように構成しても良い。なお、放電電極１に代えて、図２（ａ）で示した放電電極２、図３（ａ）で示した放電電極３、図４（ａ）で示した放電電極４、を採用しても良い。また、図８では接続部５０、駆動源６０、調整部７０を備えているが、接続部５０のみ備える形態、駆動源６０のみ備える形態、調整部７０のみ備える形態、接続部５０と駆動源６０とを備える形態、接続部５０と調整部７０とを備える形態、駆動源６０と調整部７０とを備える形態の何れかを採用しても良い。実情に応じて適宜選択される。
【００７０】
続いて、本発明の他の形態について図に基づいて説明する。図９は他の形態の放電電極ユニットの説明図である。
先に説明した放電電極ユニット５００では、複数（図８では４本）の放電電極１を一列に並べた構成であった。しかしながら、図９で示すように、複数行複数列（図９では２行２列）というようにマトリクス状に放電電極１を並べる構成を採用しても良い。なお、放電電極１に代えて、図２（ａ）で示した放電電極２、図３（ａ）で示した放電電極３、図４（ａ）で示した放電電極４、を採用しても良い。また、図８では接続部５０、駆動源６０、調整部７０を備えているが、接続部５０のみ備える形態、駆動源６０のみ備える形態、調整部７０のみ備える形態、接続部５０と駆動源６０とを備える形態、接続部５０と調整部７０とを備える形態、駆動源６０と調整部７０とを備える形態の何れかを採用しても良い。実情に応じて適宜選択される。
【００７１】
以上各形態の放電電極や放電電極ユニットについて説明した。このような構成を採用したため、異物をエアにより吹き飛ばす以外の除去手法も選択できるようになった。また、電極を尖り先としたため、放電特性を良好にした。その結果、先端の尖り先において異物が強固に付着しても異物を除去できるようにし、良好な放電特性の長期間の維持を実現するコロナ放電用の放電電極や放電電極ユニットとすることができる。このような放電電極や放電電極ユニットはガンタイプのイオナイザ、ファン型のイオナイザ、バータイプのイオナイザに適用が可能である。
【図面の簡単な説明】
【００７２】
【図１】本発明を実施するための最良の形態の放電電極および放電電極ユニットの説明図であり、図１（ａ）は放電電極先端の拡大図、図１（ｂ）は放電電極ユニットの構成図、図１（ｃ）は放電電極ユニットの動作説明図である。
【図２】他の形態の放電電極および放電電極ユニットの説明図であり、図２（ａ）は放電電極先端の拡大図、図２（ｂ）は放電電極ユニットの構成図、図２（ｃ）は放電電極ユニットの動作説明図である。
【図３】他の形態の放電電極および放電電極ユニットの説明図であり、図３（ａ）は放電電極先端の拡大図、図３（ｂ）は放電電極ユニットの構成図、図３（ｃ）は放電電極ユニットの動作説明図である。
【図４】他の形態の放電電極および放電電極ユニットの説明図であり、図４（ａ）は放電電極先端の拡大図、図４（ｂ）は放電電極ユニットの構成図、図４（ｃ）は放電電極ユニットの動作説明図である。
【図５】他の形態の放電電極および放電電極ユニットの説明図であり、図５（ａ）は第１の放電電極および放電電極ユニットの改良形態の説明図、図５（ｂ）は第２の放電電極および放電電極ユニットの改良形態の説明図、図５（ｃ）は第３の放電電極および放電電極ユニットの改良形態の説明図、図５（ｄ）は第４の放電電極および放電電極ユニットの改良形態の説明図である。
【図６】他の形態の放電電極および放電電極ユニットの説明図であり、図６（ａ）は第１の放電電極および放電電極ユニットの改良形態の説明図、図６（ｂ）は第２の放電電極および放電電極ユニットの改良形態の説明図、図６（ｃ）は第３の放電電極および放電電極ユニットの改良形態の説明図、図６（ｄ）は第４の放電電極および放電電極ユニットの改良形態の説明図である。
【図７】他の形態の放電電極および放電電極ユニットの説明図であり、図７（ａ）は第１の放電電極および放電電極ユニットの改良形態の説明図、図７（ｂ）は第２の放電電極および放電電極ユニットの改良形態の説明図、図７（ｃ）は第３の放電電極および放電電極ユニットの改良形態の説明図、図７（ｄ）は第４の放電電極および放電電極ユニットの改良形態の説明図である。
【図８】他の形態の放電電極ユニットの説明図である。
【図９】他の形態の放電電極ユニットの説明図である。
【符号の説明】
【００７３】
１：放電電極
１ａ：針状電極
１ｂ：摺動体
１ｃ：先端部
１ｄ：開口部
１ｅ：孔部
２：放電電極
２ａ：針状電極
２ｂ：摺動体
２ｃ：先端部
２ｄ：開口部
２ｅ：傾斜部
２ｆ：孔部
３：放電電極
３ａ：針状電極
３ｂ：摺動体
３ｃ：先端部
３ｄ：開口部
３ｅ：孔部
３ｆ：空間部
４：放電電極
４ａ：針状電極
４ｂ：摺動体
４ｃ：先端部
４ｄ：開口部
４ｅ：孔部
１００，２００，３００，４００，５００，６００：放電電極ユニット
１０：電極支持部
２０：摺動体支持部
３０：ばね
【図１】
2010140746.tif 000003
【図２】
2010140746.tif 000004
【図３】
2010140746.tif 000005
【図４】
2010140746.tif 000006
【図５】
2010140746.tif 000007
【図６】
2010140746.tif 000008
【図７】
2010140746.tif 000009
【図８】
2010140746.tif 000010
【図９】
2010140746.tif 000011
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
導電体で形成される針状電極と、はめあいをすきまばめとして前記針状電極が挿入される孔部およびこの孔部に連通する開口部が形成される先端部が設けられて前記針状電極に対して摺動する摺動体と、を有する放電電極と、
前記放電電極の前記針状電極を支持する電極支持部と、
前記放電電極の前記摺動体を支持する摺動体支持部と、
前記電極支持部および前記摺動体支持部を付勢する付勢部と、
を備え、前記針状電極と前記摺動体とを相対的に移動させるように支持することを特徴とする放電電極ユニット。
【請求項２】
請求項１に記載の放電電極ユニットにおいて、
前記摺動体は、円筒体であることを特徴とする放電電極ユニット。
【請求項３】
請求項１に記載の放電電極ユニットにおいて、
前記摺動体は、円筒体であって尖り先の先端部を有することを特徴とする放電電極ユニット。
【請求項４】
請求項１に記載の放電電極ユニットにおいて、
前記摺動体は、円筒体であって開口部の直径と比較して長い直径を有する空間部が内部に形成されており、この空間部に孔部が連通することを特徴とする放電電極ユニット。
【請求項５】
請求項１に記載の放電電極ユニットにおいて、
前記摺動体は、リング体であることを特徴とする放電電極ユニット。
【請求項６】
請求項１〜請求項５の何れか一項に記載の放電電極ユニットにおいて、
前記摺動体は、導電体で形成されており、
前記針状電極と前記摺動体とが電気的に接続されることを特徴とする放電電極ユニット。
【請求項７】
請求項１〜請求項６の何れか一項に記載の放電電極ユニットであって、
前記針状電極と前記摺動体とを相対的に移動させる動力を与える駆動源を備えることを特徴とする放電電極ユニット。
【請求項８】
請求項７に記載の放電電極ユニットにおいて、
前記駆動源は発音体または超音波振動子であることを特徴とする放電電極ユニット。
【請求項９】
請求項７に記載の放電電極ユニットにおいて、
前記駆動源は振動モータであることを特徴とする放電電極ユニット。
【請求項１０】
請求項１〜請求項９の何れか一項に記載の放電電極ユニットにおいて、
前記針状電極と前記電極支持部との間に介在して設けられ、前記針状電極の先端が前記電極支持部に対して前記針状電極の軸方向へ突出するように、前記電極支持部における前記針状電極の取り付け位置を調整する調整部を備えることを特徴とする放電電極ユニット。
【請求項１１】
請求項１〜請求項１０の何れか一項に記載の放電電極ユニットにおいて、
前記放電電極は複数であり、
前記電極支持部は複数の針状電極を支持し、
前記摺動体支持部は複数の摺動体を支持する、
ことを特徴とする放電電極ユニット。
【請求項１２】
請求項１１に記載の放電電極ユニットにおいて、
前記放電電極が一列に並べられることを特徴とする放電電極ユニット。
【請求項１３】
請求項１１に記載の放電電極ユニットにおいて、
前記放電電極が複数行複数列に並べられることを特徴とする放電電極ユニット。
【請求項１４】
請求項１〜請求項１３の何れか一項に記載の放電電極ユニットにおいて、
前記針状電極を支持する電極支持部が所定位置にあるように筐体に固定支持されており、
固定されて所定位置にある前記電極支持部および前記針状電極に対して前記摺動体支持部および前記摺動体が移動するようになされることを特徴とする放電電極ユニット。
【手続補正３】
【補正対象書類名】明細書
【補正対象項目名】０００１
【補正方法】変更
【補正の内容】
【０００１】
本発明は、コロナ放電用の放電電極を支持する放電電極ユニットに関する。
【手続補正４】
【補正対象書類名】明細書
【補正対象項目名】０００７
【補正方法】変更
【補正の内容】
【０００７】
そこで、本発明は、上記課題を解決するためになされたものであり、その目的は、先端の尖り先において異物が強固に付着しても異物を除去できるようにし、良好な放電特性の長期間の維持を実現するコロナ放電用の放電電極ユニットを提供することにある。
【手続補正５】
【補正対象書類名】明細書
【補正対象項目名】０００８
【補正方法】変更
【補正の内容】
【０００８】
本発明の請求項１に係る放電電極ユニットは、
導電体で形成される針状電極と、はめあいをすきまばめとして前記針状電極が挿入される孔部およびこの孔部に連通する開口部が形成される先端部が設けられて前記針状電極に対して摺動する摺動体と、を有する放電電極と、
前記放電電極の前記針状電極を支持する電極支持部と、
前記放電電極の前記摺動体を支持する摺動体支持部と、
前記電極支持部および前記摺動体支持部を付勢する付勢部と、
を備え、前記針状電極と前記摺動体とを相対的に移動させるように支持することを特徴とする。
【手続補正６】
【補正対象書類名】明細書
【補正対象項目名】０００９
【補正方法】変更
【補正の内容】
【０００９】
また、本発明の請求項２に係る放電電極ユニットは、
請求項１に記載の放電電極ユニットにおいて、
前記摺動体は、円筒体であることを特徴とする。
【手続補正７】
【補正対象書類名】明細書
【補正対象項目名】００１０
【補正方法】変更
【補正の内容】
【００１０】
また、本発明の請求項３に係る放電電極ユニットは、
請求項１に記載の放電電極ユニットにおいて、
前記摺動体は、円筒体であって尖り先の先端部を有することを特徴とする。
【手続補正８】
【補正対象書類名】明細書
【補正対象項目名】００１１
【補正方法】変更
【補正の内容】
【００１１】
また、本発明の請求項４に係る放電電極ユニットは、
請求項１に記載の放電電極ユニットにおいて、
前記摺動体は、円筒体であって開口部の直径と比較して長い直径を有する空間部が内部に形成されており、この空間部に孔部が連通することを特徴とする。
【手続補正９】
【補正対象書類名】明細書
【補正対象項目名】００１２
【補正方法】変更
【補正の内容】
【００１２】
また、本発明の請求項５に係る放電電極ユニットは、
請求項１に記載の放電電極ユニットにおいて、
前記摺動体は、リング体であることを特徴とする。
【手続補正１０】
【補正対象書類名】明細書
【補正対象項目名】００１３
【補正方法】変更
【補正の内容】
【００１３】
また、本発明の請求項６に係る放電電極ユニットは、
請求項１〜請求項５の何れか一項に記載の放電電極ユニットにおいて、
前記摺動体は、導電体で形成されており、
前記針状電極と前記摺動体とが電気的に接続されることを特徴とする。
【手続補正１１】
【補正対象書類名】明細書
【補正対象項目名】００１４
【補正方法】変更
【補正の内容】
【００１４】
また、本発明の請求項７に係る放電電極ユニットは、
請求項１〜請求項６の何れか一項に記載の放電電極ユニットであって、
前記針状電極と前記摺動体とを相対的に移動させる動力を与える駆動源を備えることを特徴とする。
【手続補正１２】
【補正対象書類名】明細書
【補正対象項目名】００１５
【補正方法】変更
【補正の内容】
【００１５】
また、本発明の請求項８に係る放電電極ユニットは、
請求項７に記載の放電電極ユニットにおいて、
前記駆動源は発音体または超音波振動子であることを特徴とする。
【手続補正１３】
【補正対象書類名】明細書
【補正対象項目名】００１６
【補正方法】変更
【補正の内容】
【００１６】
また、本発明の請求項９に係る放電電極ユニットは、
請求項７に記載の放電電極ユニットにおいて、
前記駆動源は振動モータであることを特徴とする。
【手続補正１４】
【補正対象書類名】明細書
【補正対象項目名】００１７
【補正方法】変更
【補正の内容】
【００１７】
また、本発明の請求項１０に係る放電電極ユニットは、
請求項１〜請求項９の何れか一項に記載の放電電極ユニットにおいて、
前記針状電極と前記電極支持部との間に介在して設けられ、前記針状電極の先端が前記電極支持部に対して前記針状電極の軸方向へ突出するように、前記電極支持部における前記針状電極の取り付け位置を調整する調整部を備えることを特徴とする。
【手続補正１５】
【補正対象書類名】明細書
【補正対象項目名】００１８
【補正方法】変更
【補正の内容】
【００１８】
また、本発明の請求項１１に係る放電電極ユニットは、
請求項１〜請求項１０の何れか一項に記載の放電電極ユニットにおいて、
前記放電電極は複数であり、
前記電極支持部は複数の針状電極を支持し、
前記摺動体支持部は複数の摺動体を支持する、
ことを特徴とする。
【手続補正１６】
【補正対象書類名】明細書
【補正対象項目名】００１９
【補正方法】変更
【補正の内容】
【００１９】
また、本発明の請求項１２に係る放電電極ユニットは、
請求項１１に記載の放電電極ユニットにおいて、
前記放電電極が一列に並べられることを特徴とする。
【手続補正１７】
【補正対象書類名】明細書
【補正対象項目名】００２０
【補正方法】変更
【補正の内容】
【００２０】
また、本発明の請求項１３に係る放電電極ユニットは、
請求項１１に記載の放電電極ユニットにおいて、
前記放電電極が複数行複数列に並べられることを特徴とする。
【手続補正１８】
【補正対象書類名】明細書
【補正対象項目名】００２１
【補正方法】変更
【補正の内容】
【００２１】
また、本発明の請求項１４に係る放電電極ユニットは、
請求項１〜請求項１３の何れか一項に記載の放電電極ユニットにおいて、
前記針状電極を支持する電極支持部が所定位置にあるように筐体に固定支持されており、
固定されて所定位置にある前記電極支持部および前記針状電極に対して前記摺動体支持部および前記摺動体が移動するようになされることを特徴とする。
【手続補正１９】
【補正対象書類名】明細書
【補正対象項目名】００２２
【補正方法】変更
【補正の内容】
【００２２】
以上のような本発明によれば、先端の尖り先において異物が強固に付着しても異物を除去できるようにし、良好な放電特性の長期間の維持を実現するコロナ放電用の放電電極ユニットを提供することができる。